(57)【要約】      （修正有）【解決手段】  給水・洗浄・排水工程を制御する制御手段は、排水工程において始めに第１の回転数で排水ポンプを所定時間駆動し、その後第１の回転数より低い第２の回転数で排水ポンプを駆動するよう制御するとともに、排水工程の直前の給水工程で水位検知手段で水位を検知後に所定時間追加給水した時間に応じて、第１の回転数で駆動する時間を設定するよう構成した。【効果】食器洗い機は、洗い行程またはすすぎ行程の洗浄工程の後に実施される排水工程において、供給水量が多いほど高い回転数で排水ポンプを駆動する時間を長くするため、トータルの排水時間にあまり差がでない。また、供給水量が多いほどエア噛みするまでの時間が長く、高い回転数で駆動中にエア噛み音が大きくなることもないので、騒音の発生を嫌う場所に設置される食器洗い機に有用である。【選択図】図５
2005342424.tif 000002
【特許請求の範囲】
【請求項１】
洗浄槽と、洗浄槽内に水を供給する給水手段と、洗浄槽内の水位を検知する水位検知手段と、洗浄槽内に供給された水を加圧して洗浄槽内のノズルを介して循環させる洗浄ポンプと、水を洗浄槽外に排水する排水ポンプと、水位検知手段を入力とし、給水手段、洗浄ポンプおよび排水ポンプを出力として、給水・洗浄・排水工程を制御する制御手段とを備え、制御手段は、排水工程において始めに第１の回転数で排水ポンプを所定時間駆動し、その後第１の回転数より低い第２の回転数で排水ポンプを駆動するよう制御するとともに、排水工程の直前の給水工程で水位検知手段で水位を検知後に所定時間追加給水した時間に応じて、第１の回転数で駆動する時間を設定するよう構成した食器洗い機。
【発明の詳細な説明】
【技術分野】
【０００１】
本発明は、洗浄槽内に配置したノズルを回転駆動することにより水を噴射させて食器類を洗浄する食器洗い機に関するものである。
【背景技術】
【０００２】
従来、この種の食器洗い機の構造例を図６に示す。図６において、洗浄槽２１の側面に水を供給する給水手段２２と、供給された水の複数水位を検知する水位検知手段２３が設けられ、洗浄槽２１の下部には食器類に向けて水を噴射する洗浄ノズル２４と、洗浄ノズル２４に向けて水を加圧して供給する洗浄ポンプ２５と、水を洗浄槽２１外に排水する排水ポンプ２６が配置され、その横側にこれらを制御する制御手段２７が設けられている（例えば、特許文献１参照）。
【０００３】
制御手段２７は、排水工程では複数の洗浄水位を検知する水位検知手段２３により２つの水位間の水位減少時間を測定し、これにより排水ポンプ２６の能力を推定し、洗浄水がなくなり、排水ポンプに空気が混ざる状態（以下エア噛みと称する）になる時間を予測して、そうなる前に排水ポンプ２６の回転数を落とすようにし、これにより排水時にエア噛み音が大きくなることが防止している。
【特許文献１】特開平３−２１５２３０号公報
【発明の開示】
【発明が解決しようとする課題】
【０００４】
近年、食器洗い機では節水性が重要になり洗浄水位はかなり低くなってきており、上記従来技術に係る、複数の洗浄水位を検出する水位検知手段２３はその水位差がほとんどないため、実施困難となっている。また、コスト面から見ても一点水位の水位検知手段、例えばフロートスイッチなどを用いた方がはるかに安価にできるため、ほとんどこの水位検知方式が採用されている。
【０００５】
ただし、洗浄性能を確保するため洗い行程の洗浄水位は高めにし、すすぎ行程の洗浄水位は低めに設定しなければならず、そのため、洗い行程の給水工程では給水手段２２により給水し、水位検知手段２３で一点水位検知後もさらに所定時間追加給水をして供給水量を増加している。
【０００６】
しかしながら、排水工程において排水ポンプ２６の回転数を一定時間で高い回転数から低い回転数に下げた場合、前記洗い行程の洗浄後などは供給水量の差から排水ポンプ２６のエア噛み音が大きくなるか、あるいは逆にエア噛み音が小さく排水時間が長くなるという課題があった。
【０００７】
本発明は、上記従来の問題点に鑑み、すべての排水工程において、排水ポンプのエア噛み音が小さく、かつ、排水時間が短い食器洗い機を提供することを目的とする。
【課題を解決するための手段】
【０００８】
上記目的を達成するために本発明に係る食器洗い機は、洗浄槽と、洗浄槽内に水を供給する給水手段と、洗浄槽内の水位を検知する水位検知手段と、洗浄槽内に供給された水を加圧して洗浄槽内のノズルを介して循環させる洗浄ポンプと、水を洗浄槽外に排水する排水ポンプと、水位検知手段を入力とし、給水手段、洗浄ポンプおよび排水ポンプを出力として、給水・洗浄・排水工程を制御する制御手段とを備え、制御手段は、排水工程において始めに第１の回転数で排水ポンプを所定時間駆動し、その後第１の回転数より低い第２の回転数で排水ポンプを駆動するよう制御するとともに、排水工程の直前の給水工程で水位検知手段で水位を検知後に所定時間追加給水した時間に応じて、第１の回転数で駆動する時間を設定するよう構成したものである。
【０００９】
上記構成によれば、洗い行程またはすすぎ行程で追加給水され水位が高い場合に、直後の排水工程では高い回転数で排水する時間が長くとれる。
【発明の効果】
【００１０】
本発明の食器洗い機によれば、洗い行程またはすすぎ行程の洗浄工程の後に実施される排水工程において、供給水量が多いほど高い回転数で排水ポンプを駆動する時間を長くするため、トータルの排水時間にあまり差がでない。また、供給水量が多いほどエア噛みするまでの時間が長く、高い回転数で駆動中にエア噛み音が大きくなることもない。
【発明を実施するための最良の形態】
【００１１】
以下、本発明の一実施形態の食器洗い機について図１〜図５を参照して説明する。
【００１２】
図１において、洗浄槽１の下部に水を供給する給水弁２を有する給水手段３と供給された水の水位を検知する一点水位検知タイプの水位検知手段４が設けられ、洗浄槽１には食器を収納する食器かご５、食器かご５の下部には洗浄ノズル６が設けられており、この洗浄ノズル６が回転しながら水を食器に噴射して食器を洗浄する。洗浄ノズル６の下部には洗浄水を加熱するヒータ７が配置されている。このヒータ７の加熱状態を検知するため、洗浄槽１の下部外面に張り付くように洗浄槽内の温度を検知する温度検知手段８が設けられている。
【００１３】
また、前記洗浄ノズル６には洗浄ポンプ９が接続され洗浄槽１内の水を洗浄ノズル６を介して循環させている。水を機外に排水する排水ポンプは洗浄ポンプ９と共用となっており、ポンプモータ１０の正転方向の回転では洗浄ポンプ９として機能し、逆転方向の回転では水流によって、排水弁（図示せず）が切り換わって、排水ポンプ９として機能する。
【００１４】
この洗浄兼排水ポンプ９の横には給水弁２、ポンプモータ１０を制御する制御手段１１が設けられている。図２は制御手段１１の構成を示す回路図である。なお、図１と同一のものは同一符号を付け説明を省略する。
【００１５】
図２において制御手段１１は通常ワンチップマイクロコンピュータ（以下マイコンと称する）で構成され内部にプログラムを格納している読み出し専用の記憶手段ＲＯＭ（図示せず）と読み書き自由な記憶手段ＲＡＭ（図示せず）を有し、プログラムの一部として時間を計測するタイマーを備えている。また、給水弁２、ヒータ７、などの負荷は、双方向性サイリスタおよびリレーから構成されるパワースイッチング手段１２で商用交流電源１３を供給することにより駆動する。また、本実施例では洗浄兼排水ポンプ９を駆動するポンプモータ１０は回転数を容易に制御でき、かつ、起動時と低速領域で大きなトルクが得られるので直流ブラシレスモータを用いるものとする。
【００１６】
この直流ブラシレスモータからなるポンプモータ１０を駆動するために、商用交流電源１３を整流用ダイオードブリッジ１４ａ、ノイズ防止用チョークコイル１４ｂ、平滑用コンデンサ１４ｃからなる直流電源変換回路１４で直流に変換して、インバータ回路１５に供給する。インバータ回路１５は、パワートランジスタと逆導通ダイオードの並列回路からなる直流電源のスイッチング素子で構成され、ポンプモータ１０に接続している。ポンプモータ１０は、３相巻線１０ａ（Ｕ相）、１０ｂ（Ｖ相）、１０ｃ（Ｗ相）を有するステータと、リング上の２ｎ極（ｎは自然数）の永久磁石を配設しているロータ（図示せず）から構成される。また、インバータ回路１５の負電圧側に電流検出手段１６を接続し、インバータ回路１５のＵ，Ｖ，Ｗ相の各下アームに流れる電流を検出することにより、インバータ回路１５の出力電流、すなわちポンプモータ１０の各相電流を検出する。
【００１７】
ここで制御手段１１によるポンプモータ１０の駆動は、電流検出手段１６の出力信号よりインバータ回路１５の出力電流を演算し、設定回転数に応じた所定周波数、所定電圧をパルス幅変調（以下ＰＷＭと称する）して印加することにより行い、ポンプモータ１０の負荷に応じて出力電圧に対する出力電流位相を無効電流となるように制御することにより、設定同期速度でポンプモータ１０を駆動できる。
【００１８】
図３は本実施形態の食器洗い機の制御シーケンスを示す図である。洗い行程１７は給水工程１７ａ、洗浄工程１７ｂ、排水工程１７ｃからなり、すすぎ行程はすすぎ１（１８）、すすぎ２（１９）、すすぎ３（２０）からなり、シーケンスは左端から右へ移行して行く。さらに、すすぎ行程を詳細に説明すると、すすぎ１（１８）は給水工程１８ａ、洗浄工程１８ｂ、排水工程１８ｃからなり、同様に、すすぎ２（１９）は給水工程１９ａ、洗浄工程１９ｂ、排水工程１９ｃからなり、すすぎ３（２０）は給水工程２０ａ、洗浄工程２０ｂ、排水工程２０ｃからなる。
【００１９】
図４は、制御手段１１であるマイコンの給水工程１７ａ、１８ａ、１９ａ、２０ａにおける動作フローチャートである。まず、給水工程に移行するとステップＳ１で給水弁２を駆動し、ステップＳ２で水位検知手段４がオンしたかどうか判断し、オンするまで給水弁２を駆動し続ける。水位検知手段４がオンした場合は、ステップＳ３で洗い行程かどうかを判断し、洗い行程であればステップＳ４でさらに追加給水時間Ｔｍ＝５秒を設定する。ステップＳ３に戻って洗い行程以外であればステップＳ５で追加給水時間Ｔｍ＝０秒を設定する。
【００２０】
次に、ステップＳ６で前記Ｔｍ秒経過するまで給水弁２を駆動を続ける。このステップＳ３〜Ｓ６の処理により洗い行程のみ、５秒間追加給水することになる。次に、ステップＳ７でこの給水工程の追加給水時間Ｔｍを記憶し、さらに、ステップＳ８で次の洗浄工程へ移行する。
【００２１】
図４のフローチャートでは洗い行程のみ５秒間追加給水しているが、図３のすすぎ行程の最終すすぎ３（２０）でもすすぎ効果を出すために、追加給水する場合もある。この場合には図４のステップＳ５で追加給水時間Ｔｍの値をすすぎの回数に応じて設定すればよい。
【００２２】
図５は、制御手段１１であるマイコンの排水工程１７ｃ、１８ｃ、１９ｃ、２０ｃにおける動作フローチャートである。まず、排水工程に移行するとステップＳ９でポンプモータ１０を３０００[r/min]で駆動し、ステップＳ１０で前回の給水工程で記憶したＴｍの値を読み出して、５秒以上かどうかを判定する。５秒以上であればステップＳ１１でポンプモータ１０を３０００[r/min]で駆動する時間ｔに２０秒を設定する。ステップＳ１０に戻って、５秒未満の場合はステップＳ１２でｔに１０秒を設定する。
【００２３】
次に、ステップＳ１３で前記ｔ秒経過するまでポンプモータ１０を３０００[r/min]で駆動し続ける。このステップＳ１０〜Ｓ１３の処理により前回の給水工程で５秒間追加給水した場合のみポンプモータ１０の３０００[r/min]で駆動する時間が長くなる。次に、ステップＳ１４でポンプモータの回転数を１５００[r/min]に落とし、さらに、ステップＳ１５で一定時間例えば４０秒間この１５００[r/min]で駆動し続けて、ステップＳ１６で次の給水工程へ移行する（すすぎ３の場合は工程を終了する。）。
【００２４】
なお、本実施形態では、排水ポンプが洗浄ポンプと一体化し共用したものを示したが、別々のポンプで行っても有効である。
【００２５】
上記動作でポンプモータを駆動制御することにより、供給水量が多いほど高い回転数で排水ポンプを駆動する時間を長くするので、トータルの排水時間にあまり差がでない。
また、エア噛みする時は低い回転数で駆動中なのでエア噛み音が大きくなることもない。
【産業上の利用可能性】
【００２６】
本発明の食器洗い機は、洗い行程またはすすぎ行程の洗浄工程の後に実施される排水工程において、供給水量が多いほど高い回転数で排水ポンプを駆動する時間を長くするため、トータルの排水時間にあまり差がでない。また、供給水量が多いほどエア噛みするまでの時間が長く、高い回転数で駆動中にエア噛み音が大きくなることもないので、騒音の発生を嫌う場所に設置される食器洗い機に有用である。
【図面の簡単な説明】
【００２７】
【図１】本発明の一実施形態の食器洗い機の概略構成を示す縦断面図。
【図２】同食器洗い機における制御手段の構成を示す回路図。
【図３】同食器洗い機の洗い行程からすすぎ行程に至る制御シーケンスの説明図。
【図４】同食器洗い機の給水工程の制御手順を示すフローチャート。
【図５】同食器洗い機の排水工程の制御手順を示すフローチャート。
【図６】従来の食器洗い機の概略構成を示す縦断面図。
【符号の説明】
【００２８】
１  洗浄槽
３  給水手段
４  水位検知手段
６  洗浄ノズル
９  洗浄ポンプ（排水ポンプ）
１０  ポンプモータ
１１  制御手段
【図１】
2005342424.tif 000003
【図２】
2005342424.tif 000004
【図３】
2005342424.tif 000005
【図４】
2005342424.tif 000006
【図５】
2005342424.tif 000007
【図６】
2005342424.tif 000008